(57)【要約】【課題】薬剤の持続性を向上でき、また、薬剤が詰まるのを防止できる、薬剤供給具を提供すること。【解決手段】薬剤載置部を有する下部材３と、下部材３との間に薬剤収容空間を確保して下部材３に嵌合した上部材２とからなり、薬剤載置部は、下部材３の底面に形成された多数の起立片で構成されており、下部材３と上部材２とは周縁部にて嵌合しており、該周縁部から手洗い水を取り入れるようになっており、下部材３は、底面の中央に、下向きに延びた排出筒３３を有しており、底面の裏面に、下部材３を排水孔上に浮かせて支持する支持片３２２を排出筒３３の上端部に接続して有しており、下部材３の底面には、貫通開口が形成されており、排出筒３３の上端部には、切欠き開口３３２が形成されている、ことを特徴としている。【選択図】　図１
2004084247.tif 000002
【特許請求の範囲】
【請求項１】
貯水タンクの手洗い部の排水孔上に載置され、上方から供給される手洗い水の一部を取り入れ、その水により、収容している薬剤を溶出させて貯水タンク内へ排出する、水洗トイレ用薬剤供給具において、
薬剤載置部を有する下部材と、下部材との間に薬剤収容空間を確保して下部材に嵌合した上部材とからなり、
薬剤載置部は、下部材の底面に形成された多数の起立片で構成されており、
下部材と上部材とは周縁部にて嵌合しており、該周縁部から手洗い水を取り入れるようになっており、
下部材は、底面の中央に、下向きに延びた排出筒を有しており、底面の裏面に、下部材を排水孔上に浮かせて支持する支持片を排出筒の上端部に接続して有しており、
下部材の底面には、貫通開口が形成されており、排出筒の上端部には、切欠き開口が形成されている、ことを特徴とする水洗トイレ用薬剤供給具。
【請求項２】
貫通開口が、排出筒の入口開口及び排出筒の切欠き開口と連通して形成されている、請求項１記載の水洗トイレ用薬剤供給具。
【請求項３】
薬剤載置部上に、多孔性又は微孔性のスペーサが敷設されている、請求項１記載の水洗トイレ用薬剤供給具。
【発明の詳細な説明】
【０００１】
【発明の属する技術分野】
本発明は、水洗トイレの貯水タンク内の貯水に消臭、殺菌、芳香、洗浄などの薬効を付与するために、貯水タンクの上蓋上面の手洗い部の排水孔上に載置され、上方から供給される手洗い水の一部を取り入れ、その水により、収容している薬剤を溶出させて貯水タンク内へ排出する、水洗トイレ用薬剤供給具に関するものである。
【０００２】
【従来の技術】
図１８は、従来一般の水洗トイレ用薬剤供給具５の使用状況を示している。図１８に示すように、薬剤供給具５は、貯水タンク６の上蓋６１の上面の手洗い部６２の排水孔（図示せず）上に載置して用いられ、給水管６３の蛇口６３１から供給される手洗い水の一部を内部に取り入れ、その水により、収容している薬剤を溶出させて貯水タンク６内へ排出するようになっている。
【０００３】
【発明が解決しようとする課題】
本件出願人は、上記薬剤供給具５より性能の良い水洗トイレ用薬剤供給具を、特願平１１−２２７４３３号（特開２００１−４９７１９）において既に提案している。しかしながら、本件発明者は、当該既提案の薬剤供給具の使用を重ねる内に、更なる性能の向上を図るための改良すべき問題点を見出した。即ち、
【０００４】
▲１▼収容している薬剤は、内部に取り入れられて一時的に貯留する水によって、溶出されるが、貯留する水の量が多かったり、貯留時間が長かったりすると、薬剤の溶出量が多くなり、薬剤は、短期間で消費されて、本来の使用期間を満たすことができない。
【０００５】
▲２▼内部における水の貯留時間が長いと、薬剤が、膨潤して脆くなって崩れ落ちて排出口を塞いでしまい、そのために、水の排出が滞り、薬剤供給具が正常に機能しなくなり、また、給水管６３からタンク本体６４内へ至る水の流れに支障が生じる。
【０００６】
▲３▼特願平１１−２２７４３３号の薬剤供給具は、非常にコンパクトに設計されており、載置スペースが狭い場合の使用に適しているが、載置スペースが広くて給水管からの手洗い水が排水孔から離れた位置に流出する場合に使用すると、手洗い水を取込むことができなかった。
【０００７】
本発明は、上記問題点を解消できる水洗トイレ用薬剤供給具を提供することを目的とする。
【０００８】
【課題を解決するための手段】
請求項１記載の発明は、貯水タンクの手洗い部の排水孔上に載置され、上方から供給される手洗い水の一部を取り入れ、その水により、収容している薬剤を溶出させて貯水タンク内へ排出する、水洗トイレ用薬剤供給具において、薬剤載置部を有する下部材と、下部材との間に薬剤収容空間を確保して下部材に嵌合した上部材とからなり、薬剤載置部は、下部材の底面に形成された多数の起立片で構成されており、下部材と上部材とは周縁部にて嵌合しており、該周縁部から手洗い水を取り入れるようになっており、下部材は、底面の中央に、下向きに延びた排出筒を有しており、底面の裏面に、下部材を排水孔上に浮かせて支持する支持片を排出筒の上端部に接続して有しており、下部材の底面には、貫通開口が形成されており、排出筒の上端部には、切欠き開口が形成されている、ことを特徴としている。
【０００９】
請求項２記載の発明は、請求項１記載の発明において、貫通開口が、排出筒の入口開口及び排出筒の切欠き開口と連通して形成されているものである。
【００１０】
請求項３記載の発明は、請求項１記載の発明において、薬剤載置部上に、多孔性又は微孔性のスペーサが敷設されているものである。
【００１１】
【発明の実施の形態】
図１は本発明の水洗トイレ用薬剤供給具の正面図、図２は同じく平面図、図３は同じく底面図である。この薬剤供給具１は、上部材２と下部材３の２つの部材からなっている。下部材３は内部に薬剤載置部を有しており、上部材２は下部材３との間に薬剤収容空間を確保して下部材３に嵌合している。
【００１２】
図４は図１のＩＶ−ＩＶ断面部分図、図５は図２のＶ−Ｖ断面部分図である。上部材２は、下に開いた帽子状のものであり、頂点２１から周縁２２に向けてＲを有している。上部材２の周囲には流入部２３が４箇所に設けられている。流入部２３は円周方向等間隔に位置している。流入部２３は、縦方向に延びた多数の溝２３１からなっている。溝２３１は、図５に示すように、上部付近から周縁２２まで延びており、円周方向の側壁２３２と半径方向の側壁２３３とで囲まれており、下端２３４は下部材３の周縁３１より内側に位置し且つ下方に開いている。なお、溝２３１の下端２３４は、下部材３から見れば、上開きの間隙となっている。上部材２は、図６に示すように、流入部２３以外の周縁２２の内向き突部２２１が下部材３の周縁３１の外向き突部３１１に係合することによって、下部材３に嵌合している。
【００１３】
図７は下部材３の平面図、図８は図７のＶＩＩＩ−ＶＩＩＩ断面図である。下部材３は、上に開いた皿状の本体３２と本体３２の底面３２０の中央から垂下した排出筒３３とからなっている。
【００１４】
本体３２の底面３２０には多数の起立片３２１が形成されており、薬剤載置部はこれらの起立片３２１により構成されている。これらの起立片３２１は、周辺から排出筒３３に向かって、同じ側に湾曲した円弧状に延びて形成されている。即ち、起立片３２１は、平面視で排出筒３３を中心として渦巻状となるよう配置され且つ形成されている。
【００１５】
本体３２の底面３２０の裏面には、６個の支持片３２２が円周方向等間隔に形成されている。支持片３２２は、下部材３を手洗い部６２の排水孔上に浮かせて支持するようになっている。支持片３２２は、排出筒３３の上端部に接続している。
【００１６】
本体３２の底面３２０には、図９（Ｂ）に示すような貫通開口３２５が形成されている。貫通開口３２５は、図９（Ａ）に示す排出筒３３の入口開口３３１を一回り大きくした部分である。一方、排出筒３３の上端部には、図１０（Ｂ）に示すような切欠き開口３３２が形成されている。切欠き開口３３２は、図１０（Ａ）に示す排出筒３３の上端部分Ｘを、支持片３２２との接続を部分的に残しながら、取り除くことにより、形成されている。そして、ここでは、貫通開口３２５が、排出筒３３の入口開口３３１及び排出筒３３の切欠き開口３３２と連通して形成されている。なお、図９は、切欠き開口３３２を省略して示している。また、図１０は、下部材３から本体３２を省略して示している。
【００１７】
また、図８に示すように、起立片３２１で構成される薬剤載置部の上には、円板状のスペーサ４が敷設されている。スペーサ４は、不織布でできている。そして、スペーサ４の上に、一点鎖線で示すように、薬剤１０が載置される。薬剤１０は、一般に円柱状のものである。
【００１８】
上記構成の薬剤供給具１は、貯水タンク６の上蓋６１の上面の手洗い部６２に、図１１に示すように、排出筒３３を排水孔６５に挿し込んだ状態で載置される。この状態において、下部材３は、支持片３２２によって、排水孔６５上に浮いた状態となっている。また、排出筒３３と排水孔６５との間には隙間がある。
【００１９】
次に、上記構成の薬剤供給具１の作動について説明する。
図１１において、蛇口から手洗い水が供給されて手洗いが行われると、即ち、通水が１回あると、矢印に示すように、手洗い水の一部が上部材２上に落下してその表面を流下し、その一部が流入部２３へ至る。流入部２３へ流れて来た手洗い水は、図５に示すように、溝２３１を通って下部材３内部に流入する。なお、下部材３内部に流入しなかった水は、手洗い部６２に落下し、排水孔６５を通ってタンク本体６４（図１６）内へ供給される。下部材３内部に流入した水は、図７に示すように、起立片３２１の間を排出筒３３に向けて流れて排出されるが、一時的には、自然渋滞のように、下部材３内部に貯留する。貯留した水は、薬剤１０に接触し、薬剤１０を溶出させる。これにより、薬剤が溶出した水が、排出筒３３から排出されてタンク本体６４内へ供給される。
【００２０】
ところで、下部材３内部に貯留する水の量が多かったり貯留時間が長かったりすると、通水１回当たりの薬剤１０の溶出量が多くなり、薬剤１０は、短期間で消費されて、本来の使用期間を満たすことができない。しかしながら、上記構成の薬剤供給具１では、貫通開口３２５を設けているので、その分だけ、単位時間当たりの水の排出量が増大する。従って、下部材３内部に貯留する水の量が低減されるので、また、貯留時間が短くなるので、薬剤１０の溶出量が低減される。
【００２１】
ところが、貫通開口３２５から排出される単位時間当たりの水の量が多いと、下部材３と排水孔６５周辺との間に水が一時的に溜まり、貫通開口３２５からの水の排出が滞る。そうなると、下部材３内部に貯留する水の量が低減されなくなるので、また、水の貯留時間が短くならないので、薬剤１０の溶出量が低減されなくなる。しかしながら、上記構成の薬剤供給具１では、排出筒３３の上端部に切欠き開口３３２を設けているので、下部材３と排水孔６５周辺との間に溜まろうとしていた水が、切欠き開口３３２を通って排出筒３３へ流入して排出される。従って、貫通開口３２５からの水の排出が滞ることはなく、それ故、下部材３内部に貯留する水の量が低減され、また、貯留時間が短くなり、薬剤１０の溶出量が低減される。
【００２２】
以上のように、上記構成の薬剤供給具１によれば、流入部２３から下部材３内部に流入した水が、貫通開口３２５及び切欠き開口３３２があることによって、円滑に排出されるので、下部材３内部に貯留する水の量を抑制でき、また、貯留時間を短くでき、それ故、通水１回当たりの薬剤１０の溶出量を低減できる。従って、薬剤１０の持続性を向上でき、薬剤１０の本来の使用期間を保証できる。
【００２３】
しかも、貫通開口３２５を、排出筒３３の入口開口３３１及び切欠き開口３３２と連通して形成しているので、貫通開口３２５及び切欠き開口３３２の形成が容易である。
【００２４】
更に、上記構成の薬剤供給具１においては、薬剤１０の下に、スペーサ４が敷設されているので、薬剤１０が水によって膨潤して脆くなっても、薬剤１０が崩れて排出筒３３へ落ち込むことはない。即ち、スペーサ４によって、薬剤１０の崩れ落ちが防止される。従って、崩れ落ちた薬剤１０によって排出筒３３が詰まるのが防止され、水は円滑に排出される。それ故、薬剤供給具１の正常な作動が維持され、また、給水管６３からタンク本体６４内へ至る水の流れに支障が生じることはない。
【００２５】
しかも、スペーサ４は不織布からなる微孔性のものであるので、スペーサ４を通過する水量、即ち、溶出して排出される薬剤１０の量が、スペーサ４によって制御される。従って、この点からも、薬剤１０の溶出量が低減される。
【００２６】
また、スペーサ４は厚みを有しているので、その分だけ、薬剤１０は高く位置することとなり、貯留した水に浸る薬剤１０の量が低減される。従って、この点からも、薬剤１０の溶出量が低減される。
【００２７】
なお、上記構成の薬剤供給具１においては、次のような変形構造を採用してもよい。
【００２８】
（１）貫通開口３２５を、図１２に示すように、底面の複数箇所に設けてもよい。
【００２９】
（２）切欠き開口３３２を、図１３に示すように、排出筒３３の上端部の隣接する支持片３２２の間に、窓のように形成してもよい。
【００３０】
（３）スペーサ４として、図１４に示すように、比較的大きな貫通孔４１を複数有した多孔性のものを用いてもよい。もちろん、小さな貫通孔を多数有したものでもよい。
【００３１】
（４）スペーサ４として、図１５に示すように、メッシュ状のものを用いてもよい。
【００３２】
（５）スペーサ４としては、合成樹脂や金属からなるものを用いてもよい。
【００３３】
【実施例】
（実施例１）
貫通開口３２５及び切欠き開口３３２を有する上記構成の薬剤供給具。但し、スペーサ４は無し。
【００３４】
（比較例１）
実施例１に比して、貫通開口３２５及び切欠き開口３３２を有しない点のみ異なり、その他は全く同じ薬剤供給具。
【００３５】
（試験１）
実施例１及び比較例１の各薬剤供給具に、上方から、１０分置きに、５リットルの水を浴びせて、水を通した。通水回数に対する見掛けの薬剤重量変化を測定した。その結果を図１６に示す。
【００３６】
（評価１）
図１６から明らかなように、実施例１の方が薬剤の重量変化は緩やかになっている。即ち、実施例１の薬剤供給具によれば、薬剤の持続性が向上している。なお、１回の通水で溶出する薬剤濃度は、実施例１の場合でも、必要量を充分に満たしている。
【００３７】
（実施例２，３）
実施例１の薬剤供給具において、不織布からなるスペーサを敷設した場合を実施例２とした。また、同じく、メッシュ状のスペーサを敷設した場合を実施例３とした。
【００３８】
（試験２）
実施例１〜３の各薬剤供給具に、上方から、１０分置きに、５リットルの水を浴びせて、水を通した。通水回数に対する見掛けの薬剤重量変化を測定した。その結果を図１７に示す。
【００３９】
（評価２）
図１７から明らかなように、実施例２，３の方が薬剤の重量変化は緩やかになっている。即ち、スペーサを敷設した実施例２，３の薬剤供給具によれば、スペーサを敷設していない実施例１の場合に比して、薬剤の持続性が更に向上している。なお、１回の通水で溶出する薬剤濃度は、実施例２，３の場合でも、必要量を充分に満たしている。
【００４０】
【発明の効果】
請求項１記載の発明によれば、下部材内部に取り入れた水を、貫通開口及び切欠き開口を通すことによって、円滑に排出できる。それ故、下部材内部に貯留する水の量を抑制できるので、また、貯留時間を短くできるので、通水１回当たりの薬剤の溶出量を低減できる。従って、薬剤の持続性を向上でき、薬剤の本来の使用期間を保証できる。
【００４１】
請求項２記載の発明によれば、貫通開口及び切欠き開口を容易に形成できる。
【００４２】
請求項３記載の発明によれば、スペーサによって、膨潤した薬剤の崩れ落ちを防止できる。従って、崩れ落ちた薬剤によって排出筒が詰まるのを防止でき、水を円滑に排出できる。それ故、薬剤供給具の正常な作動を維持でき、また、給水管からタンク本体内へ至る水の流れに支障が生じるのを防止できる。
【００４３】
また、スペーサによって、溶出して排出される薬剤の量を制御できる。更に、スペーサの厚みによって、貯留した水に浸る薬剤の量を低減できる。従って、これらの点からも、薬剤の溶出量を低減できる。
【図面の簡単な説明】
【図１】本発明の水洗トイレ用薬剤供給具の正面図である。
【図２】本発明の水洗トイレ用薬剤供給具の平面図である。
【図３】本発明の水洗トイレ用薬剤供給具の底面図である。
【図４】図１のＩＶ−ＩＶ断面部分図である。
【図５】図２のＶ−Ｖ断面部分図である。
【図６】本発明の水洗トイレ用薬剤供給具の一部縦断面略図である。
【図７】下部材の平面図である。
【図８】図７のＶＩＩＩ−ＶＩＩＩ断面図である。
【図９】（Ａ）は貫通開口を形成する前の下部材の模式縦断面図、（Ｂ）は貫通開口を形成した後の下部材の模式縦断面図である。
【図１０】下部材から本体を省略した形態に関して、（Ａ）は切欠き開口を形成する前の斜視図、（Ｂ）は切欠き開口を形成した後の斜視図である。
【図１１】本発明の水洗トイレ用薬剤供給具を手洗い部に載置した状態の部分縦断面図である。
【図１２】貫通開口の別の例を示す、下部材の底面図である。
【図１３】切欠き開口の別の例を示す、下部材の正面部分図である。
【図１４】スペーサの別の例を示す平面図である。
【図１５】スペーサの更に別の例を示す平面図である。
【図１６】実施例１及び比較例１における、通水回数と見掛けの薬剤重量変化との関係を示す図である。
【図１７】実施例１〜３における、通水回数と見掛けの薬剤重量変化との関係を示す図である。
【図１８】従来一般の水洗トイレ用薬剤供給具を手洗い部に載置した状態を示す斜視図である。
【符号の説明】
１　薬剤供給具
１０　薬剤
２　上部材
２２　周縁
３　下部材
３１　周縁
３２０　底面
３２１　起立片
３２２　支持片
３２５　貫通開口
３３　排出筒
３３１　入口開口
３３２　切欠き開口
４　スペーサ
６　貯水タンク
６２　手洗い部
【図１】
2004084247.tif 000003
【図２】
2004084247.tif 000004
【図３】
2004084247.tif 000005
【図４】
2004084247.tif 000006
【図５】
2004084247.tif 000007
【図６】
2004084247.tif 000008
【図７】
2004084247.tif 000009
【図８】
2004084247.tif 000010
【図９】
2004084247.tif 000011
【図１０】
2004084247.tif 000012
【図１１】
2004084247.tif 000013
【図１２】
2004084247.tif 000014
【図１３】
2004084247.tif 000015
【図１４】
2004084247.tif 000016
【図１５】
2004084247.tif 000017
【図１６】
2004084247.tif 000018
【図１７】
2004084247.tif 000019
【図１８】
2004084247.tif 000020